(57)【要約】【課題】当接具のレイアウト自由度の向上、及び施工の容易化を実現できるとともに、構造体の強度や耐久性の低下を抑制できる取付具、及び建物の壁構造を提供する。【解決手段】取付具１０は当接具３０を備えることが可能である。取付具１０は、基板部１１、第１側壁部１２、第２側壁部１３、支持部１４、第１係止部１５、第２係止部１６及び固定板部１７を有している。固定板部１７は、第２側壁部１３の先端縁１３Ａから基板部１１と対向するように延び、かつ支持部１４よりも基板部１１に接近する位置にある。当接具３０は、固定板部１７に固定可能な取付部３１と、取付部３１に対して交差する方向に立設される立設片３２と、を有している。【選択図】図５
2019011593.tif 000002
【特許請求の範囲】
【請求項１】
当接具を備えることが可能であり、構造体に壁材を取り付けるための取付具であって、
前記取付具は、
前記構造体に固定可能な基板部と、
前記基板部の一方の側端縁から前記基板部に対して突出する第１側壁部と、
前記基板部の他方の側端縁から前記第１側壁部と同じ側に突出する第２側壁部と、
前記第１側壁部の先端縁から前記基板部と対向するように延びて前記第２側壁部に接近する支持部と、
前記支持部から前記基板部とは反対側に向かって突出し、前記第１側壁部側に屈曲する第１係止部と、
前記支持部から前記基板部とは反対側に向かって突出し、前記第２側壁部側に屈曲する第２係止部と、
前記第２側壁部の先端縁から前記基板部と対向するように延び、かつ前記支持部よりも前記基板部に接近する位置にある固定板部と、を有し、
前記当接具は、
前記固定板部に対して前記基板部とは反対側から当接する状態で前記固定板部に固定可能な取付部と、
前記取付部に対して交差する方向に立設され、前記基板部とは反対側に向かって突出する立設片と、を有していることを特徴とする取付具。
【請求項２】
前記当接具は、前記立設片とは逆向きに前記取付部から突出し、前記固定板部の先端縁に当接可能な規制部を有している請求項１記載の取付具。
【請求項３】
前記当接具は、前記規制部から前記取付部と対向するように延び、かつ前記取付部との間に前記固定板部の板厚と略等しい隙間を形成する対向片を有している請求項２記載の取付具。
【請求項４】
前記当接具は、前記対向片とは逆向きに前記規制部から突出する突出片を有している請求項３記載の取付具。
【請求項５】
前記取付具は、前記第１側壁部に、あるいは、前記第１側壁部及び前記第２側壁部の両方に、貫通孔を有している請求項１記載の取付具。
【請求項６】
前記第２側壁部は、前記基板部側から前記固定板部側に向かうにつれて、前記第１側壁部に接近するように傾斜している請求項１記載の取付具。
【請求項７】
前記第１係止部及び前記第２係止部の少なくとも一方には、先端縁から前記支持部に向かって凹むスリットが形成されている請求項１記載の取付具。
【請求項８】
構造体に対し、当接具を備えることが可能な取付具を用いて壁材を取り付けた壁構造であって、
前記取付具は、
前記構造体に固定可能な基板部と、
前記基板部の一方の側端縁から前記基板部に対して突出する第１側壁部と、
前記基板部の他方の側端縁から前記第１側壁部と同じ側に突出する第２側壁部と、
前記第１側壁部の先端縁から前記基板部と対向するように延びて前記第２側壁部に接近し、前記壁材の裏面を支持可能な支持部と、
前記支持部から前記基板部とは反対側に向かって突出し、前記第１側壁部側に屈曲し、前記壁材の一端部を係止可能な第１係止部と、
前記支持部から前記基板部とは反対側に向かって突出し、前記第２側壁部側に屈曲し、前記壁材の他端部を係止可能な第２係止部と、
前記第２側壁部の先端縁から前記基板部と対向するように延び、かつ前記支持部よりも前記基板部に接近する位置にある固定板部と、を有し、
前記当接具は、
前記固定板部に対して前記基板部とは反対側から当接する状態で前記固定板部に固定可能な取付部と、
前記取付部に対して交差する方向に立設され、前記取付部が前記固定板部に当接する状態で前記基板部とは反対側に向かって突出し、前記壁材の側端部に当接可能な立設片と、を有していることを特徴とする建物の壁構造。
【請求項９】
構造体に壁材を取り付けるための取付具であって、
基板部と、
前記基板部の一方の側端縁から前記基板部に対して突出する第１側壁部と、
前記基板部の他方の側端縁から前記第１側壁部と同じ側に突出する第２側壁部と、
前記第１側壁部の先端縁から前記基板部と対向するように延びて前記第２側壁部に接近する支持部と、
前記支持部から前記基板部とは反対側に向かって突出し、前記第１側壁部側に屈曲する第１係止部と、
前記支持部から前記基板部とは反対側に向かって突出し、前記第２側壁部側に屈曲する第２係止部と、
前記第２側壁部の先端縁から前記基板部と対向するように延び、かつ前記支持部よりも前記基板部に接近する位置にある固定板部と、を有することを特徴とする取付具。
【発明の詳細な説明】
【技術分野】
【０００１】
本発明は、取付具、及び建物の壁構造に関する。
【背景技術】
【０００２】
特許文献１〜３に従来の取付具の例が開示されている。特許文献１開示の取付具（留め具）は、左右に隣接する外壁板（外装材）の間に配置される目地材と併用される。特許文献１の図６等に示されているように、取付具は、水平方向に延びて基板部（固定板）が複数の縦支持体に亘って固定される。目地材は、上下方向に延びて縦支持体に固定される。目地材は、左右の外壁板の間に配置されることにより、左右の外壁板の横ズレを防止するようになっている。
【０００３】
特許文献２開示の取付具（第１の留付金具）は、当接具（横ずれ防止金具）を備えることが可能である。取付具は、水平方向に延びて上方水平部が角波状の金属下地材に固定される。当接具は、取付部が上方固定板と下方固定板を有し、固定具によって、上方固定板が金属下地、下方固定板が取付具に固定可能となっており、少なくともどちらか一方が金属下地を貫通する形で固定されている。当接具は、左右の外壁板の対向する側端部同士の間に配置されることにより、左右の外壁板の横ズレを防止するようになっている。
【０００４】
特許文献３開示の取付具（留め付け治具本体）は、当接具（左右隔置板）を備えることが可能である。取付具は、水平方向に延びて基板部（背面板）が複数の下地材に亘って固定される。この際、取付具の当接具を固定する固定板部（固定面板）は、基板部と段差をもって下地材側に形成され、下地材の無い位置に配置される。固定板部に固定された当接具（左右隔置板）の立設片（隔置片）は、左右の外壁板（外壁材）における対向する側端部同士の間に配置されることにより、左右の外壁板の横ズレを防止するようになっている。
【先行技術文献】
【特許文献】
【０００５】
【特許文献１】特開２０１６−１０２３６１号公報
【特許文献２】特開２０１３−１１０５６号公報
【特許文献３】特開２００３−７４１６７号公報
【発明の概要】
【発明が解決しようとする課題】
【０００６】
しかし、特許文献１記載の取付具では、目地材を縦支持材に重なる位置に配置する必要があることから、当接具の働きをする目地材のレイアウト自由度が低く、外壁板の施工自由度が劣る。ここで言うレイアウト自由度とは、取付具の水平方向、すなわち外壁板の水平方向に対する当接具の取付位置の選択の自由度のことである。また、目地材を固定するための施工が縦支持材に必ず実施されるので、縦支持材にビスなどの固定具で固定した場合には、縦支持材の強度及び耐久性の低下を招く可能性がある。
【０００７】
特許文献２記載の当接具は、金属下地材か、取付具の少なくともどちらか一方に固定することができるので、特許文献１記載の取付具に比べて、当接具のレイアウト自由度が高い。しかしながら、当接具の下方固定板を取付具の上方水平部に固定する場合と、上方固定板を金属下地材に固定する場合とで作業の手順や内容が異なり、施工作業が煩雑になり易いので、施工性が劣る。また、当接具を固定するための固定具が、金属下地を貫通する形で固定されているため、下地の強度や耐久性が低下するおそれがある。
【０００８】
特許文献３記載の取付具では、当接具（左右隔置板）を下地材と重なる位置に配置できないことから、当接具のレイアウト自由度が低く、外壁板の施工性が劣る。また、固定板部（固定面板）が基板部（背面板）と段差をもって下地材側に形成されていることから、当接具を固定するために固定板部にねじ込まれたタッピンネジが長過ぎる場合に、タッピンネジの先端が防水シートや柱を損傷させる可能性があり、防水シートの防水性の低下、柱の強度及び耐久性の低下を招くおそれがある。
【０００９】
本発明は、上記従来の実情に鑑みてなされたものであって、当接具のレイアウト自由度の向上、及び施工の容易化を実現できるとともに、構造体の強度や耐久性の低下を抑制できる取付具、及び建物の壁構造を提供することを解決すべき課題としている。
【課題を解決するための手段】
【００１０】
本発明の第１の態様の取付具は、当接具を備えることが可能であり、構造体に壁材を取り付けるための取付具であって、
前記取付具は、
前記構造体に固定可能な基板部と、
前記基板部の一方の側端縁から前記基板部に対して突出する第１側壁部と、
前記基板部の他方の側端縁から前記第１側壁部と同じ側に突出する第２側壁部と、
前記第１側壁部の先端縁から前記基板部と対向するように延びて前記第２側壁部に接近する支持部と、
前記支持部から前記基板部とは反対側に向かって突出し、前記第１側壁部側に屈曲する第１係止部と、
前記支持部から前記基板部とは反対側に向かって突出し、前記第２側壁部側に屈曲する第２係止部と、
前記第２側壁部の先端縁から前記基板部と対向するように延び、かつ前記支持部よりも前記基板部に接近する位置にある固定板部と、を有し、
前記当接具は、
前記固定板部に対して前記基板部とは反対側から当接する状態で前記固定板部に固定可能な取付部と、
前記取付部に対して交差する方向に立設され、前記基板部とは反対側に向かって突出する立設片と、を有していることを特徴とする。
【００１１】
第１の態様の取付具では、固定板部が構造体の凹凸形状や構造体を構成する胴縁等の位置等に制約されることなく、基板部に沿って延びることができる。このため、固定板部の任意の位置に当接具の取付部を固定することができる。
【００１２】
また、当接具の取付部をどの位置で固定板部に固定しても、作業の手順や内容が同じであり、施工作業が簡素になる。
【００１３】
さらに、固定板部に当接具を固定するためのネジ等の締結部材が第２側壁部の長さによって基板部からある程度離間する位置に配置される。このため、締結部材の先端が防水シートや柱を損傷させ難いので、防水シートの防水性の低下、柱の強度及び耐久性の低下を抑制できる。
【００１４】
したがって、本発明の第１の態様の取付具では、当接具のレイアウト自由度の向上、及び施工の容易化を実現できるとともに、構造体の強度や耐久性の低下を抑制できる。
【００１５】
本発明の第２の態様として、当接具は、立設片とは逆向きに取付部から突出し、固定板部の先端縁に当接可能な規制部を有していることが望ましい。
【００１６】
この場合、当接具の規制部を取付具の固定板部の先端部に当接させることで、当接具の位置決めの補助となるため、外壁板の施工作業が容易となる。
【００１７】
本発明の第３の態様として、当接具は、規制部から取付部と対向するように延び、かつ取付部との間に固定板部の板厚と略等しい隙間を形成する対向片を有していることが望ましい。
【００１８】
この場合、当接具の取付部を固定板部に当接させ、規制部を固定板部の先端縁に当接させ、取付部と対向片とに固定板部を挟持させることにより、当接具を取付具の固定板部に容易に位置決めし、仮固定できる。これにより、締結部材によって固定板部に当接具を固定する作業を容易、かつ安全に行うことができる。
【００１９】
本発明の第４の態様として、当接具は、対向片とは逆向きに規制部から突出する突出片を有していることが望ましい。
【００２０】
この場合、作業者が当接具の突出片を保持することによって、当接具の取付部を取付具の固定板部に当接させ、規制部を固定板部の先端縁に当接させ、取付部と対向片とに固定板部を挟持させる作業を容易に行うことができる。
【００２１】
本発明の第５の態様として、取付具は、第１側壁部に、あるいは、第１側壁部及び第２側壁部の両方に、貫通孔を有していることが望ましい。
【００２２】
この場合、外壁板の裏面と固定板部との間の空間と、貫通孔とにより、取付具の周辺において通気性を確保したり、雨水等を下方に流すことができるため、外壁板や構造体の強度や耐久性の低下を抑制できる。
【００２３】
本発明の第６の態様として、第２側壁部は、基板部側から固定板部側に向かうにつれて、第１側壁部に接近するように傾斜していることが望ましい。
【００２４】
この場合、構造体から第２側壁部に到達した雨水等を傾斜によって、構造体から離間する方向に流すことができるため、構造体の劣化を抑制することができる。
【００２５】
本発明の第７の態様として、第１係止部及び第２係止部の少なくとも一方には、先端縁から支持部に向かって凹むスリットが形成されていることが望ましい。
【００２６】
この場合、第１係止部及び第２係止部の少なくとも一方の局所的な変形が生じた場合であっても、その変形が取付具の全体に影響を及ぼすことをスリットによって抑制できる。その結果、取付具の捩じり変形を抑制できる。また、スリットを一定間隔で入れた場合、スリットの数や、各スリットと取付具の端部との位置関係等に基づいて、取付具の長さを容易に測定できる。
【００２７】
本発明の第８の態様の建物の壁構造は、構造体に対し、当接具を備えることが可能な取付具を用いて壁材を取り付けた壁構造であって、
前記取付具は、
前記構造体に固定可能な基板部と、
前記基板部の一方の側端縁から前記基板部に対して突出する第１側壁部と、
前記基板部の他方の側端縁から前記第１側壁部と同じ側に突出する第２側壁部と、
前記第１側壁部の先端縁から前記基板部と対向するように延びて前記第２側壁部に接近し、前記壁材の裏面を支持可能な支持部と、
前記支持部から前記基板部とは反対側に向かって突出し、前記第１側壁部側に屈曲し、前記壁材の一端部を係止可能な第１係止部と、
前記支持部から前記基板部とは反対側に向かって突出し、前記第２側壁部側に屈曲し、前記壁材の他端部を係止可能な第２係止部と、
前記第２側壁部の先端縁から前記基板部と対向するように延び、かつ前記支持部よりも前記基板部に接近する位置にある固定板部と、を有し、
前記当接具は、
前記固定板部に対して前記基板部とは反対側から当接する状態で前記固定板部に固定可能な取付部と、
前記取付部に対して交差する方向に立設され、前記取付部が前記固定板部に当接する状態で前記基板部とは反対側に向かって突出し、前記壁材の側端部に当接可能な立設片と、を有していることを特徴とする。
【００２８】
本発明の第８の態様の建物の壁構造によれば、第１の態様の取付具が奏する作用効果により、当接具のレイアウト自由度の向上、及び施工の容易化を実現できるとともに、構造体の強度や耐久性の低下を抑制できる。
【００２９】
本発明の第９の態様の取付具は、構造体に壁材を取り付けるための取付具であって、
基板部と、
前記基板部の一方の側端縁から前記基板部に対して突出する第１側壁部と、
前記基板部の他方の側端縁から前記第１側壁部と同じ側に突出する第２側壁部と、
前記第１側壁部の先端縁から前記基板部と対向するように延びて前記第２側壁部に接近する支持部と、
前記支持部から前記基板部とは反対側に向かって突出し、前記第１側壁部側に屈曲する第１係止部と、
前記支持部から前記基板部とは反対側に向かって突出し、前記第２側壁部側に屈曲する第２係止部と、
前記第２側壁部の先端縁から前記基板部と対向するように延び、かつ前記支持部よりも前記基板部に接近する位置にある固定板部と、を有することを特徴とする。
【００３０】
第９の態様の取付具では、上記構成の固定板部により、構造体の凹凸形状や構造体を構成する胴縁等の位置等に制約されることなく、基板部に沿って延びることができる。このため、固定板部の任意の位置に、例えば、壁材の横ずれを防止するための部材等の追加部材を容易に固定することができる。
【００３１】
さらに、そのような追加部材を固定板部に固定するためのネジ等の締結部材が基板部に対して構造体とは反対側に配置される。このため、締結部材の先端が防水シートや柱を損傷させ難いので、防水シートの防水性の低下、柱の強度及び耐久性の低下を抑制できる。
【００３２】
したがって、本発明の第９の態様の取付具では、施工の容易化を実現できるとともに、構造体の強度や耐久性の低下を抑制できる。
【発明の効果】
【００３３】
本発明の取付具、及び建物の壁構造では、当接具のレイアウト自由度の向上、及び施工の容易化を実現できるとともに、構造体の強度や耐久性の低下を抑制できる。
【図面の簡単な説明】
【００３４】
【図１】図１は、実施の形態１の建物の壁構造の斜視図である。
【図２】図２は、実施の形態１の取付具と、取付具に備えられる当接具とを示す斜視図である。
【図３】図３は、実施の形態１に係り、外壁板の斜視図である。
【図４】図４は、実施の形態１に係り、取付具及び当接具によって外壁板を支持する状態を示す部分斜視図である。
【図５】図５は、図２のＶ−Ｖ断面を示す部分断面図である。
【図６】図６は、実施の形態１に係り、当接具の正面図である。
【図７】図７は、実施の形態１に係り、当接具の上面図である。
【図８】図８は、実施の形態２の壁構造に係り、図５と同様の断面を示す部分断面図である。
【図９】図９は、実施の形態２に係り、当接具の正面図である。
【発明を実施するための形態】
【００３５】
以下、本発明を具体化した実施の形態１、２を図面を参照しつつ説明する。なお、図１において、垂直上方向を上と表示し、垂直下方向を下と表示する。また、図１の屋外から屋内に向う方向において水平左方向を左と表示し、水平右方向を右と表示する。そして、図２以降の各図に示す各方向は、図１に対応させて表示する。
【００３６】
（実施の形態１）
図１に示すように、実施の形態１の壁構造は、壁構造の具体的態様の一例である。この壁構造は、住宅、施設、倉庫等の建物を構成する構造体８に対し、取付具１０を用いて、複数の外壁板２を取り付けたものである。外壁板２は、壁材の一例である。図３及び図４等に示すように、外壁板２は、それ自体が高い強度や剛性を有して建物の外壁を構成する壁材である。なお、壁材は外壁板に限定されず、例えば、建物を外装する化粧板、屋内用構造パネル、内装板等であってもよい。
【００３７】
図１に示すように、構造体８は、例えば、木造軸組構法によって建築されるものである。構造体８は、複数の構造部材によって構成されている。構造部材には、左右方向に所定の間隔を有して並ぶ複数の柱材９Ａ、各柱材９Ａの下端と接続して土台を構成する柱材９Ｂ、及びそれらの柱材９Ａ、９Ｂ間に配置される間柱等の柱部材９が含まれる。各柱部材９間には、断熱材５が設けられている。また、断熱材５の表面には、防水シート６が敷設されている。構造体８の施工状況等によっては、断熱材５や防水シート６を省略することもできる。なお、構造体８は、本実施の形態の構成に限定されず、例えば、鉄骨造、鉄筋コンクリート造、レンガ造等の躯体であってもよい。
【００３８】
各柱部材９と外壁板２との間には、実施の形態１の取付具１０が配置されている。複数の取付具１０が上下方向に所定の間隔を有して各柱部材９に取り付けられて、それぞれ左右方向に延びている。取付具１０は、取付具の具体的態様の一例である。図２及び図４等に示すように、取付具１０は、長尺な金属製型材である。取付具１０は、金属板材が折り曲げ加工及びプレス加工等されることによって製造される。なお、取付具１０の材質や製造方法は上記に限定されず、各種の材料や、製造方法を適宜選択できる。
【００３９】
取付具１０の形状についての以下の説明では、上下方向、左右方向及び屋内外方向について、図５等に示すように、柱部材９に固定された状態の取付具１０の姿勢を基準とする。
【００４０】
図２に示すように、取付具１０は、基板部１１、第１側壁部１２、第２側壁部１３、支持部１４、第１係止部１５、第２係止部１６及び固定板部１７を有している。
【００４１】
基板部１１は、左右方向の長さが上下方向の長さよりも大きい長方形状をなしている。基板部１１の左右方向の長さは、一例として約１．８ｍであるが、これよりも長くてもよいし、短くてもよい。また、施工箇所に応じて、適宜切断して使用される。基板部１１には、左右方向に所定の間隔をおいて、複数の固定孔１１Ｈが屋内外方向に貫設されている。各固定孔１１Ｈは、基板部１１における上下方向の略中央に配置されている。基板部１１の屋内方向を向く面は、柱部材９に当接可能な平坦面となっている。
【００４２】
図５に示すように、基板部１１が左右方向に延びる状態で各柱部材９に当接され、締結手段の一例であるねじ１０Ｂが任意の固定孔１１Ｈを通過して各柱部材９に締結される。こうして、取付具１０の基板部１１が複数の柱部材９に亘って固定される。固定孔１１Ｈは、取付具１０を柱部材９に固定する際において、これらの固定位置の決定や位置ずれを抑制し、作業を容易にする。
【００４３】
図２及び図５に示すように、第１側壁部１２は、基板部１１の下端縁１１Ａから略直角に屈曲して屋外方向に突出し、かつ左右方向に延びる長方形状をなしている。基板部１１の下端縁１１Ａは、基板部の一方の側端縁の一例である。第１側壁部１２には、左右方向に所定の間隔をおいて、複数の貫通孔１２Ｈが上下方向に貫設されている。
【００４４】
第２側壁部１３は、基板部１１の上端縁１１Ｂから屈曲して屋外方向に突出し、かつ左右方向に延びる長方形状をなしている。基板部１１の上端縁１１Ｂは、基板部の他方の側端縁の一例である。第２側壁部１３は、基板部１１から離れるにつれて、第１側壁部１２に接近するように下り傾斜している。第２側壁部１３には、左右方向に所定の間隔をおいて、複数の貫通孔１３Ｈが上下方向に貫設されている。
【００４５】
支持部１４は、第１側壁部１２の先端縁１２Ａから略直角に屈曲して、基板部１１と対向しつつ、第２側壁部１３に接近するように上方に延びている。支持部１４は、左右方向の長さが上下方向の長さよりも大きい長方形状をなしている。支持部１４は、基板部１１と略平行である。支持部１４の屋外方向を向く面は、外壁板２の裏面２Ｂに当接可能な平坦面となっている。
【００４６】
図２に示すように、複数の第１係止部１５及び第２係止部１６が左右方向に交互に並んで支持部１４の上端縁１４Ａに接続している。第１係止部１５と第２係止部１６とは、スリット１９によって分断されている。
【００４７】
第１係止部１５は、第１支承片１５Ａと第１係止片１５Ｂとを含んでいる。第１支承片１５Ａは、支持部１４の上端縁１４Ａから略直角に屈曲して屋外方向に突出している。第１係止片１５Ｂは、第１支承片１５Ａの先端縁から第１側壁部１２側に屈曲して、下方に傾斜している。
【００４８】
第２係止部１６は、第２支承片１６Ａと第２係止片１６Ｂとを含んでいる。第２支承片１６Ａは、支持部１４の上端縁１４Ａから略直角に屈曲して屋外方向に突出している。第２係止片１６Ｂは、第２支承片１６Ａの先端縁から第２側壁部１３側に屈曲して、上方に傾斜している。
【００４９】
各第２係止部１６には、左右方向の略中央にスリット１６Ｓが形成されている。スリット１６Ｓは、第２係止片１６Ｂの先端縁１６Ｅから第２支承片１６Ａの先端縁まで凹んでいる。
【００５０】
図２及び図５に示すように、固定板部１７は、第２側壁部１３の先端縁１３Ａから略直角に屈曲して、基板部１１と対向しつつ、第１側壁部１２に接近するように下方に延びている。固定板部１７は、左右方向の長さが上下方向の長さよりも大きい長方形状をなしている。固定板部１７は、基板部１１と略平行である。
【００５１】
固定板部１７が基板部１１から屋外方向に離間する長さをＬ１とし、支持部１４が基板部１１から屋外方向に離間する長さをＬ２とする。長さＬ１は長さＬ２よりも短く設定されている。つまり、固定板部１７は、支持部１４よりも基板部１１に近い位置にある。
【００５２】
図２及び図４に示すように、固定板部１７及び第２側壁部１３には、左右方向に所定の間隔をおいて、複数のスリット１０Ｓが形成されている。スリット１０Ｓは、固定板部１７の下端縁１７Ａから第２側壁部１３の先端縁１３Ａまで凹み、さらに第２側壁部１３における屋内外方向の略中央まで凹んでいる。固定板部１７の下端縁１７Ａは、固定板部の先端縁の一例である。
【００５３】
取付具１０は、当接具３０を備えることが可能である。当接具３０は、金属板材が折り曲げ加工及びプレス加工等されることによって製造される。なお、当接具３０の材質や製造方法は上記に限定されず、各種の材料や、製造方法を適宜選択できる。
【００５４】
当接具３０の形状についての以下の説明では、上下方向、左右方向及び屋内外方向について、図５等に示すように、取付具１０に固定された状態の当接具３０の姿勢を基準とする。
【００５５】
図２及び図４〜図７に示すように、当接具３０は、取付部３１、立設片３２、規制部３３、対向片３４及び突出片３５を有している。
【００５６】
取付部３１は、左右方向の長さが上下方向の長さよりも大きい略長方形状をなしている。取付部３１の屋内方向を向く面は、固定板部１７の屋外方向を向く面に当接可能な平坦面となっている。
【００５７】
取付部３１には、左右方向に所定の間隔をおいて、３つの固定孔３１Ｈが屋内外方向に貫設されている。固定孔３１Ｈは、当接具３０を取付具１０に固定する際において、これらの固定位置の決定や位置ずれを抑制し、作業を容易にする。
【００５８】
立設片３２は、取付部３１の左端縁から略直角に屈曲して屋外方向に突出し、かつ上下方向に延びる略矩形片である。
【００５９】
規制部３３は、取付部３１の下端縁から略直角に屈曲して屋内方向に突出し、かつ左右方向に延びている。規制部３３の上面は、固定板部１７の下端縁１７Ａに当接可能な平坦面となっている。
【００６０】
突出片３５は、規制部３３の屋内側端縁から略直角に屈曲して下方に延びている。突出片３５は、左右方向の長さが上下方向の長さよりも大きい長方形状をなしている。
【００６１】
取付部３１及び規制部３３における各固定孔３１Ｈ間の２箇所には、略Ｃ字形状のスリット３０Ｓが形成されている。対向片３４は、規制部３３及び突出片３５の折り曲げ加工によって、スリット３０Ｓに囲まれた部分が取付部３１から屋内方向に離間することにより形成されている。対向片３４は、規制部３３から取付部３１と対向するように、突出片３５とは逆向きの上方に延びている。対向片３４の屋外方向を向く面は、固定板部１７の屋内方向を向く面に当接可能な平坦面となっている。
【００６２】
図５に示すように、固定板部１７の板厚をＴ１とする。図７に示すように、対向片３４と取付部３１との間に形成された隙間をＷ１とする。隙間Ｗ１は、板厚Ｔ１と略等しく設定されている。
【００６３】
図２に矢印Ｙ１で示すように、当接具３０を取付具１０の固定板部１７に接近させ、固定板部１７に対して下方にずれた位置で、取付部３１の屋内方向を向く面を固定板部１７の屋外方向を向く面に当接させる。そして、当接具３０を上向きに変位させ、当接具３０の取付部３１と対向片３４との隙間Ｗ１に、取付具１０の固定板部１７の下端縁１７Ａを挿入する。そうすると、図２、図４及び図５に示すように、取付部３１と対向片３４とが固定板部１７を挟持する。また、当接具３０の規制部３３が固定板部１７の下端縁１７Ａに下から当接する。これにより、当接具３０の取付具１０に対する傾きが解消され、当接具３０が取付具１０に対して上下方向で位置決めされる。その結果、当接具３０は、取付具１０の固定板部１７に仮固定される。この状態で、締結手段の一例であるねじ３０Ｂが任意の固定孔３１Ｈを通過して固定板部１７に締結される。こうして、取付具１０の固定板部１７の任意の位置に、当接具３０の取付部３１を固定することができる。
【００６４】
図５に示すように、固定板部１７が基板部１１から屋外方向に離間する長さＬ１は、ねじ３０Ｂにおける固定板部１７から屋内方向に突出するねじ部の長さＬ３に対して十分に大きく設定されている。
【００６５】
図３に示すように、外壁板２は、四辺形状、より具体的には、左右方向に長い略矩形状の板材である。本実施の形態では、外壁板２は、セメントを含む窯業系材料からなる。なお、外壁板２の材質や形状は上記には限定されない。例えば、外壁板２の材質は、金属系材、木質系材、樹脂系材等を適宜選択できる。また、外壁板２の形状は、四辺形状で上下方向に長い略矩形形状の板材等を適宜選択できる。
【００６６】
外壁板２の表面２Ｆは、例えばレンガ柄等のデザインが施された外装面となっている。外壁板２の左端部には、表側左右接合部２１が形成されている。外壁板２の右端部には、裏側左右接合部２２が形成されている。外壁板２の下端部には、表側上下接合部２３が形成されている。外壁板２の上端部には、裏側上下接合部２４が形成されている。なお、図２では、外壁板２の大きさに対して、表側左右接合部２１、裏側左右接合部２２、表側上下接合部２３及び裏側上下接合部２４の大きさが誇張して図示されている。
【００６７】
表側左右接合部２１は、外壁板２の裏面２Ｂから表面２Ｆに向かって凹み、上下方向、すなわち、外壁板２の左端部に沿って延びている。
【００６８】
裏側左右接合部２２は、外壁板２の表面２Ｆから裏面２Ｂに向かって凹み、上下方向、すなわち、外壁板２の右端部に沿って延びている。裏側左右接合部２２における屋外方向を向く平坦面には、コーキング２２Ｓが設けられている。コーキング２２Ｓは、裏側左右接合部２２に沿って直線状に配設されている。なお、コーキングは必須ではなく、コーキング２２Ｓを省略することもできる。
【００６９】
表側上下接合部２３は、外壁板２の裏面２Ｂから表面２Ｆに向かって凹み、左右方向、すなわち、外壁板２の下端部に沿って延びている。表側上下接合部２３には、上向きに略テーパ状に凹む係合凹部２３Ａが形成されている。
【００７０】
裏側上下接合部２４は、外壁板２の表面２Ｆから裏面２Ｂに向かって凹み、左右方向、すなわち、外壁板２の上端部に沿って延びている。裏側上下接合部２４における屋外方向を向く平坦面には、コーキング２４Ｓが設けられている。コーキング２４Ｓは、裏側上下接合部２４に沿って直線状に配設されている。なお、コーキングは必須ではなく、コーキング２４Ｓを省略することもできる。裏側上下接合部２４には、コーキング２４Ｓよりも上方において上向きに略テーパ状に突出する係合凸部２４Ａが形成されている。
【００７１】
図４に示すように、下側の外壁板２の裏側上下接合部２４と、上側の外壁板２の表側上下接合部２３とが重なり合うことによって、上下方向に隣接する外壁板２同士の間に、左右方向に延びる上下合決り部が形成される。図示は省略するが、右側の外壁板２の表側左右接合部２１と、左側の外壁板２の裏側左右接合部２２とが重なり合うことによって、左右方向に隣接する外壁板２同士の間に、上下方向に延びる左右合決り部が形成される。すなわち、外壁板２は、表側左右接合部２１、裏側左右接合部２２、表側上下接合部２３及び裏側上下接合部２４を備える、いわゆる「四方合決り構造」である板材である。
【００７２】
図１、図４及び図５に示すように、外壁板２は、取付具１０によって、以下のようにして構造体８に取り付けられる。
【００７３】
図１に示すように、初めに、複数の取付具１０を各柱部材９の最下方の位置で左右方向に延びるように取り付ける。そして、それらの取付具１０に対して、複数の外壁板２を左右方向に隣接させた状態で取り付ける。この際、それらの外壁板２の下端部は、図５に示すように、取付具１０の第２係止部１６が係合凹部２３Ａを係止することによって、取付具１０に支持される。
【００７４】
次に、図１に示すように、それらの外壁板２に対して、上方から別の複数の取付具１０を左右方向に延びるように取り付ける。この際、それらの外壁板２の上端部は、図４及び図５に示すように、取付具１０の第１係止部１５が係合凸部２４Ａを係止することによって、取付具１０に支持される。
【００７５】
そして、その上方の取付具１０に対して、さらに、複数の外壁板２を左右方向に隣接させた状態で取り付ける。この際にも、それらの外壁板２の下端部は、図５に示すように、取付具１０の第２係止部１６が係合凹部２３Ａを係止することによって、取付具１０に支持される。
【００７６】
ここで、当接具１０は、複数の外壁板２を左右方向に隣接させた状態で取り付ける際に使用される。図４に示すように、取付具１０の第２係止部１６によって係合凹部２３Ａが係止された特定の外壁板２（２Ｓ）の右方の側端部２Ｒに対して、立設片３２を右方から当接させた状態で、当接具３０を取付具１０の固定板部１７に仮固定し、さらに、ねじ３０Ｂによって固定板部１７に締結する。これにより、特定の外壁板２（２Ｓ）が右方に横ズレすることが防止される。そして、図示は省略するが、特定の外壁板２（２Ｓ）に別の外壁板２を右方から隣接させる。そして、その外壁板２の左方の側端部２Ｌ（図２参照）を立設片３２に右方から当接させる。これにより、その外壁板２が左方に横ズレすることが防止される。
【００７７】
こうして、取付具１０は、複数の外壁板２の互いに突き合わされるコーナー部、すなわち、四方合決り部を支持するようになっている。また、取付具１０の支持部１４が外壁板２の裏面２Ｂに当接することによって、構造体８の壁面と外壁板２の裏面２Ｂとの間に通気空間が確保される。
【００７８】
このような作業を他の外壁板２についても実施することにより、各外壁板２は、上下方向及び左右方向に隣接する状態で構造体８に支持され、構造体８の壁面を覆う。
【００７９】
＜作用効果＞
実施の形態１の取付具１０及び壁構造では、図２、図４及び図５に示すように、固定板部１７が構造体８の凹凸形状や構造体８を構成する柱部材９の位置等に制約されることなく、基板部１１に沿って延びることができる。このため、固定板部１７の任意の位置に当接具３０の取付部３１を固定することができる。
【００８０】
また、当接具３０の取付部３１をどの位置で取付具１０の固定板部１７に固定しても、作業の手順や内容が同じである。また、当接具３０の規制部３３によって、当接具３０の取付具１０に対する傾きを解消し、また、当接具３０を取付具１０に対して上下方向で精度良く位置決めできるので、施工作業が簡素になる。
【００８１】
さらに、図５に示すように、固定板部１７に当接具３０を固定するためのねじ３０Ｂが第２側壁部１３の屋内外方向の長さによって基板部１１からある程度離間する位置に配置される。換言すると、固定板部１７が基板部１１から屋外方向に離間する長さＬ１は、ねじ３０Ｂにおける固定板部１７から屋内方向に突出するねじ部の長さＬ３に対して十分に大きく設定されている。このため、ねじ３０Ｂの先端が防水シート６や柱部材９を損傷させ難いので、防水シート６の防水性の低下、柱部材９の強度及び耐久性の低下を抑制できる。
【００８２】
したがって、実施の形態１の取付具１０及び壁構造では、当接具３０のレイアウト自由度の向上、及び施工の容易化を実現できるとともに、構造体８の強度や耐久性の低下を抑制できる。
【００８３】
また、図５及び図７に示すように、対向片３４は、規制部３３から取付部３１と対向するように上方に延び、かつ取付部３１との間に固定板部１７の板厚Ｔ１と略等しい隙間Ｗ１を形成している。このため、当接具３０を取付具１０の固定板部１７に取り付ける際、取付部３１と対向片３４とに固定板部１７を挟持させることにより、当接具３０を固定板部１７に容易に位置決めし、仮固定できる。これにより、ねじ３０Ｂによって固定板部１７に当接具３０を固定する作業を容易、かつ安全に行うことができる。
【００８４】
さらに、図５及び図６に示すように、突出片３５は、規制部３３から対向片３４とは逆向きの下方に突出している。このため、作業者が当接具３０の突出片３５を保持しながら、当接具３０の取付部３１を固定板部１７に当接させ、当接具３０の規制部３３を固定板部１７の下端縁１７Ａに当接させ、取付部３１と対向片３４とに固定板部１７を挟持させる作業を容易に行うことができる。
【００８５】
また、図５等に示すように、取付具１０は、第１側壁部１２及び第２側壁部１３に貫通孔１２Ｈ、１３Ｈを有している。このため、外壁板２の裏面２Ｂと固定板部１７との間の空間と、貫通孔１２Ｈ、１３Ｈとにより、取付具１０の周辺において通気性を確保したり、雨水等を下方に流すことができるため、外壁板２や構造体８の強度や耐久性の低下を抑制できる。
【００８６】
さらに、第２側壁部１３は、基板部１１側から固定板部１７側に向かうにつれて、第１側壁部１２に接近するように下り傾斜している。このため、構造体８から第２側壁部１３に到達した雨水等を傾斜によって、構造体８から離間する方向に流すことができるため、構造体８の劣化を抑制することができる。
【００８７】
また、図４等に示すように、第２係止部１６には、第２係止片１６Ｂの先端縁１６Ｅから第２支承片１６Ａの先端縁まで凹むスリット１６Ｓが形成されている。このため、第２係止部１６の局所的な変形が生じた場合であっても、その変形が取付具１０の全体に影響を及ぼすことをスリット１６Ｓによって抑制できる。その結果、取付具１０の捩じり変形を抑制できる。また、スリット１６Ｓを一定間隔で入れた場合、スリット１６Ｓの数や、各スリット１６Ｓと取付具１０の端部との位置関係等に基づいて、取付具１０の長さを容易に測定できる。
【００８８】
（実施の形態２）
図８及び図９に示すように、実施の形態２の壁構造では、実施の形態１の取付具１０に代えて、取付具２１０を採用するとともに、実施の形態１の当接具３０に代えて、当接具２３０を採用している。実施の形態２のその他の構成は、実施の形態１と同様である。このため、実施の形態１と同一の構成については同一の符号を付して説明を省略又は簡略する。
【００８９】
取付具２１０では、実施の形態１の取付具１０の固定板部１７を固定板部２１７に変更している。固定板部２１７は、第２側壁部１３の先端縁１３Ａから屈曲して、第１側壁部１２から離間するように上方に延びている。固定板部２１７の板厚は、実施の形態１に係る固定板部１７の板厚Ｔ１と同じである。固定板部２１７が基板部１１から屋外方向に離間する長さは、実施の形態１に係る固定板部１７が基板部１１から屋外方向に離間する長さＬ１と同じである。ねじ３０Ｂにおける固定板部２１７から屋内方向に突出するねじ部の長さは、実施の形態１に係るねじ３０Ｂにおける固定板部１７から屋内方向に突出するねじ部の長さＬ３と同じである。
【００９０】
当接具２３０では、実施の形態１の当接具３０の規制部３３、対向片３４及び突出片３５を規制部２３３、対向片２３４及び突出片２３５に変更している。実施の形態１に係る規制部３３、対向片３４及び突出片３５は、取付部３１と、取付部３１の左端縁に接続する立設片３２とに対して、下方に位置している。これに対して、規制部２３３、対向片２３４及び突出片２３５は、取付部３１と、取付部３１の左端縁に接続する立設片３２とに対して、上方に位置している点のみが規制部３３、対向片３４及び突出片３５と相違する。
【００９１】
規制部２３３は、取付部３１の上端縁から略直角に屈曲して屋内方向に突出している。対向片２３４は、規制部２３３から取付部３１と対向するように下方に延びている。突出片２３５は、規制部２３３の屋内側端縁から略直角に屈曲して、対向片２３４とは逆向きの上方に延びている。対向片３３４と取付部３１との隙間は、実施の形態１に係る対向片３４と取付部３１との隙間Ｗ１と同じである。つまり、取付部３１と対向片２３４との隙間Ｗ１に固定板部２１７の上端縁２１７Ａを挿入することにより、取付部３１と対向片２３４とに固定板部２１７を挟持させることができる。
【００９２】
このような構成である実施の形態２の取付具２１０及び壁構造でも、実施の形態１の取付具１０及び壁構造と同様に、当接具２３０のレイアウト自由度の向上、及び施工の容易化を実現できるとともに、構造体８の強度や耐久性の低下を抑制できる。
【００９３】
以上において、本発明の形態を実施の形態１、２に即して説明したが、本発明の形態は上記実施の形態１、２に制限されるものではなく、その趣旨を逸脱しない範囲で適宜変更して適用できることはいうまでもない。
【００９４】
例えば、実施の形態１、２では、第２係止部１６のみにスリット１６Ｓが形成されているが、この構成には限定されない。例えば、第１係止部１５に、スリット１６Ｓと同様のスリットが形成されていてもよい。
【００９５】
第２側壁部１３が基板部１１側から固定板部１７側に向かうにつれて、第１側壁部１２に接近するように下り傾斜している場合において、第２側壁部１３に貫通孔１３Ｈが形成されていない構成も本発明に含まれる。この場合、第２側壁部１３に到達した雨水等を構造体８から離間する位置に溜めることができる。
【符号の説明】
【００９６】
８…構造体
２…壁材（外壁板）
２Ｂ…壁材の裏面（外壁板の裏面）
２Ｌ、２Ｒ…壁材の側端部（２Ｌ…外壁板の左方の側端部、２Ｒ…外壁板の右方の側端部）
１０、２１０…取付具
１１…基板部
１１Ａ…基板部の一方の側端縁（基板部の下端縁）
１１Ｂ…基板部の他方の側端縁（基板部の上端縁）
１２…第１側壁部
１２Ａ…第１側壁部の先端縁
１３…第２側壁部
１３Ａ…第２側壁部の先端縁
１４…支持部
１５…第１係止部
１６…第２係止部
１６Ａ…第２係止部の先端縁
１７、２１７…固定板部
１７Ａ、２１７Ａ…固定板部の先端縁（１７Ａ…固定板部の下端縁、２１７Ａ…固定板部の上端縁）
３０、２３０…当接具
３１…取付部
３２…立設片
３３、２３３…規制部
３４、２３４…対向片
３５、２３５…突出片
１２Ｈ、１３Ｈ…貫通孔
１６Ｓ…スリット
【図１】
2019011593.tif 000003
【図２】
2019011593.tif 000004
【図３】
2019011593.tif 000005
【図４】
2019011593.tif 000006
【図５】
2019011593.tif 000007
【図６】
2019011593.tif 000008
【図７】
2019011593.tif 000009
【図８】
2019011593.tif 000010
【図９】
2019011593.tif 000011